(57)【要約】【課題】１ビットでも伝送誤りがあったらＦＡＸを排出しない手段によると、防災無線のような緊急を要する情報伝達が迅速に為されないことが考えられる。【解決手段】伝送路を無線化した無線ＦＡＸ装置において、無線信号を受信する子局無線機と、前記子局無線機が受信した画像や文字といったデータにＦＡＸ制御信号を付加する子局送受信部と、前記子局送受信部が出力するＦＡＸ制御信号および画像や文字といったデータを受信し伝送路の状況にかかわらずデータを排出する子局ＦＡＸ部と、からなることを特徴とする無線ＦＡＸ装置とする。つまり、本発明における無線ＦＡＸ装置には誤り検出部が存在しなくともよい。【選択図】図２
2011044832.tif 000002
【特許請求の範囲】
【請求項１】
伝送路を無線化した無線ＦＡＸ装置において、
無線信号を受信する子局無線機と、
前記子局無線機が受信した画像や文字といったデータにＦＡＸ制御信号を付加する子局送受信部と、
前記子局送受信部が出力するＦＡＸ制御信号および画像や文字といったデータを受信し伝送路の状況にかかわらずデータを排出する子局ＦＡＸ部と、
からなることを特徴とする無線ＦＡＸ装置。
【請求項２】
前記子局送受信部が付加するＦＡＸ制御信号は、
伝送路で誤りが発生しているかを検出するために、親局側及び子局側で予め定めたトレーニングチェックビットであることを特徴とする、請求項１に記載の無線ＦＡＸ装置。
【請求項３】
前記無線ＦＡＸ装置は、親局側が１つの装置であり、かつ、子局側が２以上の複数の装置であることを特徴とする、請求項１および請求項２に記載の無線ＦＡＸ装置。
【請求項４】
前記無線ＦＡＸ装置は、親局と子局の間でＦＡＸ識別信号を送受信しないことを特徴とする、請求項１ないし請求項３のいずれかに記載の無線ＦＡＸ装置。
【発明の詳細な説明】
【技術分野】
【０００１】
本発明は、子局であるところの受信側が１機または複数機である同報通信が可能な、無線によって原稿の送受信を行う無線ＦＡＸ装置に関するものである。
【背景技術】
【０００２】
近年、公衆電話網や無線回線を利用して図形等を送受信することが出来るＦＡＸ装置の発展は目覚ましく、このことにより、屋外でもＦＡＸ原稿の送受信が可能になっている。無線ＦＡＸ装置に関して、装置の機能を受信に関するものに絞ることによる小型化手段については、例えば特許文献１に詳述されている。
【０００３】
また、特許文献２には、受信電界強度が低い時には受信処理をしないようにすることによって、通信エラーが多発することが予想される時にはＦＡＸ機能を停止させ、通信トライ時間を短くし、電力消費量を抑える手段が詳述されている。
【０００４】
しかるに防災無線などの緊急を要する分野において、この手段をとることはできない。
【０００５】
図１は従来の無線ＦＡＸ装置の構成を示したものである。
【０００６】
親局送受信部１０１にて画像や文字を読み取り、これらをデータ化し、変調して親局の無線機１０３から無線信号を送出する。子局の無線機１０５にて前記無線信号を受信し、子局送受信部１０７にて復調する。
【０００７】
送信信号中には予め決められた識別信号が含まれており、誤り検出部は該識別信号が正常に受信できているかどうかを検査することによって、伝送路において誤りが発生しているかを検出する。誤りが無ければＦＡＸ１１１から前記画像や文字を排出する。
【０００８】
ここで、もし誤り検出部１０９が伝送誤りを１ビットでも発見したら、子局送受信部１０７に誤りを検出した旨の信号を伝送し、子局の無線機１０５を介して親局側に再送信要求を送信する。
【０００９】
これは、画像や文字信号は、１ビットでも誤ると送信側が意図したものとは違うものになる可能性があるからであり、従来の無線ＦＡＸはこのように、伝送路において識別信号の誤りが発生しないことを前提に設計されている。
【先行技術文献】
【特許文献】
【００１０】
【特許文献１】特開平９−１９１３５４号公報
【特許文献２】特開平７−７９３１２号公報
【発明の概要】
【発明が解決しようとする課題】
【００１１】
しかるに、前記した従来の手法のように、１ビットでも伝送誤りがあったらＦＡＸを排出しない手段によると、防災無線のような緊急を要する情報伝達が迅速に為されないことが考えられる。
【００１２】
つまり、緊急を要する情報伝達においては、画像や文字の乱れが発生したとしても、何らかのＦＡＸ排出があった方が有益である場合が多い。子局利用者にとっても、排出されたＦＡＸ用紙を見ることによって、情報が把握できないほどの乱れがあった場合に送信側に直接再送信を要求することができるし、また、伝送誤りが情報の重要な部分に及んでいなければ、そのまま受信情報を利用できる。
【課題を解決するための手段】
【００１３】
このような課題を解決するために、本発明は、伝送路において信号の誤りが発生しても、ＦＡＸを排出できるようにしたことを特徴とするものである。
【００１４】
つまり本発明は、
伝送路を無線化した無線ＦＡＸ装置において、
無線信号を受信する子局無線機と、
前記子局無線機が受信した画像や文字といったデータにＦＡＸ制御信号を付加する子局送受信部と、
前記子局送受信部が出力するＦＡＸ制御信号および画像や文字といったデータを受信し伝送路の状況にかかわらずデータを排出する子局ＦＡＸ部と、
からなることを特徴とする無線ＦＡＸ装置とする。
【００１５】
このように、本発明における無線ＦＡＸ装置には誤り検出部が存在しなくともよい。
【００１６】
また、本発明は、
前記子局送受信部が付加するＦＡＸ制御信号は、
伝送路で誤りが発生しているかを検出するために、親局側及び子局側で予め定めた信号列であるところのトレーニングチェックビットであることを特徴とする無線ＦＡＸ装置とする。
【００１７】
このように、本来であれば伝送路で誤りが発生していれば、誤ったトレーニングチェックビットがＦＡＸ装置に伝送され、そのことにより、親局側に再送信要求を出すよう機能するのであるが、本発明では前記トレーニングチェックビットを子局送受信部が保持しており、これをＦＡＸ装置に伝送するため、誤り情報はＦＡＸ装置に伝達されない。
【００１８】
また、本発明は、
前記無線ＦＡＸ装置は、親局側が１つの装置であり、かつ、子局側が２つ以上の複数の装置であることを特徴とする無線ＦＡＸ装置とする。
【００１９】
このように、いわゆる同報通信においては、いずれか一つの子局装置がエラーを検出すると親局側からＦＡＸ信号を再送信せねばならず、ＦＡＸ排出が迅速に為されなかったが、本発明によれば再送信要求を行わないため、多数の子局装置が存在しても迅速な同報通信が可能となる。
【００２０】
また、本発明は、
前記無線ＦＡＸ装置は、親局と子局の間でＦＡＸ識別信号を送受信しないことを特徴とする無線ＦＡＸ装置とする。
【００２１】
このように、子局から親局にＦＡＸ識別信号を送信しないため、子局にはＭＯＤＥＭが不要になり、低コストで同報通信システムを構築することが可能になる。
【発明の効果】
【００２２】
以上説明したように、本発明で示したようにトレーニングチェックビット等のＦＡＸ制御信号を子局側が予め保持することにより、無線伝送路が信号誤りを発生させる状態であっても、子局側から親局側に再送信要求をしないため、受信したデータをただちにＦＡＸ排出でき、例えば防災無線システムのような迅速性を要求される分野において有効な無線ＦＡＸ装置を構成することが可能になる。
【００２３】
また、ＭＯＤＥＭを要する識別信号を子局から親局に送信しないため、該ＭＯＤＥＭが不要になり、システムの低価格化に寄与できる。
【図面の簡単な説明】
【００２４】
【図１】従来技術に関する図
【図２】本発明にかかる受信側構成
【図３】本発明にかかる全体図
【図４】信号伝達チャート
【発明を実施するための形態】
【実施例】
【００２５】
以下、図を参照して、本発明を実施するための最良の形態を説明する。
【００２６】
本発明の特徴を図２に示す。つまり、無線ＦＡＸ受信機２０１のアダプタＡＤＰ２０３は、記憶装置２０５を持っており、該記憶装置２０５は正しいトレーニングチェックビット列を保持していて、該トレーニングチェックビット列をＦＡＸ装置１１１に所望のタイミングで伝送する。
【００２７】
前記所望のタイミングとは、主に子局側ＦＡＸ装置１１１の動作開始時であり、通常は受信したトレーニングチェックビット列が１ビットでも誤っていたら、親局側に再送信要求を出し、正常に受信できることを確認してからＦＡＸデータの排出を行う。
【００２８】
しかし本発明では正しいトレーニングチェックビットを記憶装置２０５から受信機２０１が読み込み、それをＦＡＸ装置１１１に伝送するため、トレーニングチェックビット列は常に正しい。
【００２９】
従って、親局側と子局側の間の伝送路において無線信号に誤りが発生しても、乱れた画像や文字情報をそのままＦＡＸ装置１１１から排出するものである。
【００３０】
つまり、防災無線における情報伝達は、その迅速性が強く要求され、排出された画像や文字が乱れていても、判読が可能であればそれでよいし、また、判読出来ないほどの乱れが生じたら、その都度必要に応じて親局側に再送信要求をすればよい、という実体に即した考え方によるものである。
【００３１】
次に図３および図４を用いて、装置全体の動作を説明する。図３は送受信装置の全体構成図であり、図４は信号チャートである。
【００３２】
図３に示すように、まず、親局側では親局ＦＡＸ装置３０１にＦＡＸ原稿をセットする。次に操作卓３０５によって送信先への呼び出しや親局ＦＡＸ３０１の起動制御を行う。制御装置３０３によって音声ラインでＦＡＸ信号を送るためのＣＥＤ信号やＤＩＳ信号等が付加される。これらの信号は親局の無線機１０３によって無線伝送路に放出される。
【００３３】
なお、ＣＥＤ信号とは、ＦＡＸ通信における最初の回線確立シーケンス信号で、親局より送信された信号に対し、子局が応答することによって、双方がＦＡＸ装置であることを識別するものである。また、ＤＩＳ信号とは、拡張ＦＡＸ機能を持つかどうかなどの端末の属性を送受双方が識別するための信号である。また、子局のＦＡＸ装置の解像度などといった情報はＤＴＣ信号として親局に伝送される。
【００３４】
親局側ではＤＩＳ信号によって端末が確定した後、その後の通信に使用する端末定数をＤＣＳ信号によって指定する。そして、ＤＣＳ信号に続いて、正常に通信が出来ているかを識別するためのトレーニングチェックビット列であるところのＴＣＦ信号を伝送する。
【００３５】
子局側では子局の無線機１０５によって前記各信号が受信され、受信装置２０１によって本発明にかかるトレーニングチェックビット列の上書きを行う。このことにより、伝送路誤りの無い信号として受信信号が子局のＦＡＸ１１１に伝送され、ＦＡＸから紙などの媒体で情報が排出される。
【００３６】
一般に、前記のように、ＣＥＤ信号とＤＩＳ信号は通信確立のために子局側から親局側へも伝送されるのであるが、本発明ではこれを行わなくてよい。つまり、親局側からの信号をそのままＦＡＸ排出できることを目的としているためであり、そのために、親局側ではタイミングチャートに沿って、ある信号の送信から次の信号の送信までの時間幅を決めておき、逐次情報伝達を行うのである。
【００３７】
従って、このような考え方に立つ場合、子局側にはＣＥＤ信号やＤＩＳ信号を親局に送信するためのＭＯＤＥＭが不要になる。このことは、同報一斉通信を行う場合に、複数の子局を設置しなければならない場合に、設置費用の削減につながる。
【００３８】
図４はこれらのタイミングチャートを示したものであり、縦軸の上部が時間的なスタート位置である。親局における送信用ＦＡＸは図３の３０１、送信用ＡＤＰは制御装置３０３、卓／無線機は３０５および１０３に相当し、また、子局における無線・制御メイン基板は図３の１０５および２０１、ＡＤＰ基板は２０１、受信用ＦＡＸは１１１に相当する。
【００３９】
まず、親局においてＦＡＸ原稿をセットし、操作卓３０５が制御装置３０３を起動させる（ＣＩオン）。制御装置が起動すると、その旨確認信号が操作卓３０５に伝送される（ＣＭＬオン）。制御装置３０３は、親局のＦＡＸ装置３０１をオフフックにし、子局のＦＡＸ装置を起動するための、例えば１３００Ｈｚのトーン信号を無線機１０３から送信するよう動作する。
【００４０】
続いて、前記のＣＥＤ信号とＤＩＳ信号がＦＡＸ装置３０１から出力される。前記のように、本発明においてはＣＥＤ信号とＤＩＳ信号を利用しないため、制御装置３０３以降に該信号は伝送されない。
【００４１】
子局においてもトーン信号によって起動させられたＦＡＸ装置１１１からＣＥＤ信号とＤＩＳ信号が出力されるが、受信装置２０１以降に該信号は伝送されない。ＤＴＣ信号は予め決められた信号を制御装置３０３がＦＡＸ装置３０１に出力する。
【００４２】
ＤＣＳ信号は端末を特定するものであるから必要な情報であり、これはＤＴＣ信号到来後に親局から子局に伝送される。次にトレーニングチェックビット列であるところのＴＣＦ信号が親局から子局に伝送されるが、受信装置２０１によってこれが正しい情報に上書きされるので、子局においては伝送路誤りが無いものとして信号を処理する。
【００４３】
次に、親局から子局に画像や文字といったＦＡＸ排出すべき情報が伝送される。そして該情報送出後、一定時間後に前記ＣＩとＣＭＬがオフになり、回線が切断される。
【００４４】
本発明においては、ＦＡＸ識別信号を親局と子局の間で送受しないよう記述したが、子局にＭＯＤＥＭを設置してこれを送受してもよい。
【００４５】
本発明においては子局側ＦＡＸの起動を促す信号として親局からトーン信号を送信するよう記述したが、この手段に限定するものではない。
【符号の説明】
【００４６】
１０１…親局送受信部、  １０３…親局の無線機、
１０５…子局の無線機、  １０７…子局送受信部、
１０９…誤り検出部、  １１１…ＦＡＸ装置、
２０１…受信機、  ２０３…アダプタ、
２０５…記憶装置、
３０１…親局ＦＡＸ装置、  ３０３…ＦＡＸ制御装置、
３０５…操作卓。
【図１】
2011044832.tif 000003
【図２】
2011044832.tif 000004
【図３】
2011044832.tif 000005
【図４】
2011044832.tif 000006